(57)【特許請求の範囲】
【請求項１】
（イ）  アクリル・ウレタン樹脂エマルジョンに成る表面塗膜（２１）と；
（ロ）  メチルメタクリレート・ブタジエン樹脂エマルジョンを塗布して布目を塞ぐ目止め処理の施された織布（２３）に成る芯地層（２４）と；
（ハ）  可塑剤や架橋剤を含有する接着剤層（２７）と；
（ニ）  ラテックス（２５）を含浸させた二重経編布（１４）に成るクッション層（３２）が順次積層されており；
（ホ）  その二重経編布（１４）が、経糸の形成する鎖編列間を挿入糸で連結した上布（１１）と、経糸の形成する鎖編列が左右にジグザグに変動して開口を形成したネット状下布（１２）を連結糸（１３）で連結して構成され、上布と下布の間に連結糸（１３）に囲まれて下布の開口（１８）から上布に続く窪んだ隙間（１８）が形成されており、その窪んだ隙間（１８）を塞ぐことなくラテックス（２５）が含浸しており、下布の開口（１８）が底面（３３）を構成していることを特徴とする競技場床敷物。
【請求項２】
前掲請求項１に記載の表面塗膜（２１）の下にアクリル・ウレタン樹脂エマルジョンに成る下塗層（２２）が積層されており、表面塗膜（２１）のアクリル・ウレタン樹脂エマルジョンに鉱物質粒体（２０）が配合されていることを特徴とする前掲請求項１に記載の競技場床敷物。
【請求項３】
前掲請求項１に記載の芯地層（２４）の織布（２３）の目付が１５０〜３００ｇ／ｍ2 であって単糸繊度２〜１０デニールのポリエステル繊維によって構成されており、二重経編布（１４）の厚さが２〜７ｍｍであり、上布（１１）と下布（１２）が単糸繊度２〜１０デニールのポリエステル繊維のマルチフイラメント糸で構成され、連結糸（１３）が単糸繊度１００〜３００デニールのナイロンのモノフイラメント糸で構成されていることを特徴とする前掲請求項１に記載の競技場床敷物。
【請求項４】
前掲請求項１に記載の鉱物質粒体（２０）を除く表面塗膜（２１）のアクリル・ウレタン樹脂エマルジョンの塗布量（乾燥重量）と、下塗層（２２）のアクリル・ウレタン樹脂エマルジョンの塗布量（乾燥重量）と、芯地層（２４）のメチルメタクリレート・ブタジエン樹脂エマルジョンの塗布量（乾燥重量）と、接着剤層（２７）の塗布量（乾燥重量）が、それぞれ５００ｇ／ｍ2 以下であることを特徴とする前掲請求項１に記載の競技場床敷物。
【請求項５】
前掲請求項１に記載の二重経編布（１４）に含浸させたラテックス（２５）のゴム成分がメタクリレート・ブタジエン樹脂、アクリロニトリロ・ブタジエン樹脂、スチレン・ブタジエン樹脂の何れか１種以上であることを特徴とする前掲請求項１に記載の競技場床敷物。
【発明の詳細な説明】
【０００１】
【発明の属する技術分野】
本発明は、バトミントン、テニス、バスケット等の競技場の床面に敷設する競技場床敷物に関するものである。
【０００２】
【従来の技術】
本発明者は、上下二重に同時に編成される上布１１と下布１２を連結糸１３で連結して編成される二重経編布１４を利用したクッション材を開発し、特開昭６１−３７２１４に開示している。図３は、平編上布１１とネット編下布１２を連結糸１３で連結した二重経編布１４を図示し、上布１１は、地経糸に編成されてウェール方向Ｎに連続する鎖編列１５と鎖編列１５の間が挿入糸１６で連結されて平編状に編成されている。下布１２は、数コース毎に左右ジグザグにウェール方向Ｎに続く鎖編列１７によって、四角形ないし六角形の開口（１８）を形成してネット状に編成されている。
【０００３】
下布１２の構造を詳しく説明すると、下布１２の鎖編列１７は、上布１１の２列の鎖編列１５・１５につき１列の割合で複数本の地経糸によって編成され、その下布１２の１列の鎖編列１７を構成する複数本の地経糸が数コース毎に上布の１ウェール間隔分だけ、つまり下布１２の２列の鎖編列１７・１７の間のスペース分だけ左右２方向に移動して分かれ、その隣合っていた左右の２列の鎖編列１７・１７から分かれて、それら２列の鎖編列１７・１７の間に移動した左右の地経糸が合流して再び各１列の鎖編列１７を、既に編成されている２列の鎖編列１７・１７の間に構成し、その数コース毎に左右ジグザグに移動してウェール方向Ｎに続く鎖編列１７によって、その左右に分かれて移動する毎に隣合う鎖編列間１７・１７に四角形ないし六角形の開口（１８）を形成する。連結糸１３は、上布の鎖編列１５の編目と下布の鎖編列１７の編目に編み込まれ、その上布又は下布の編目に１回又は数回編み込まれる毎に、上布から下布へ、或いは、上布から下布へと移動して、上布１１と下布１２を連結している。
【０００４】
この二重経編布１４には、上下で向き合う合計３列の各鎖編列１５・１５・１７を頂点とし、それら上下の鎖編列１５・１５・１７に編み込まれる２本の連結糸１３・１３を２辺とし、上布の隣合う２列の鎖編列１５・１５を連結する挿入糸１６を他の１辺とする三角形状隙間１９と、下布の開口（１８）から窪んで出来る窪んだ隙間１８が、上布１１と下布１２の間に形成され、連結糸１３が上布１１と下布１２の間にクッション層を形成している。
【０００５】
【発明が解決しようとする課題】
この二重経編布１４は、使用中に上布１１や下布１２と連結糸１３の間にズレが生じ、上布１１と下布１２の間の連結糸１３が押し倒されて長期使用に耐えず、それを改善するために樹脂を含浸させて補強したが、特に二重経編布１４の表面に塗着した樹脂皮膜が剥離し易く、又、表面の滑りが土質グランドの滑りと大きく違う点でも競技場床敷物としての使用に問題があった。
【０００６】
【発明の目的】
そこで本発明は、土質グランドに酷似した滑り特性と弾力性を有し、損傷し難く、競技場に敷込み易く、又、不要時には取り外して保管し易い二重経編布を利用した競技場床敷物を得ることを目的とする。
【０００７】
【課題を解決するための手段】
本発明に係る競技場床敷物２６は、（イ）  アクリル・ウレタン樹脂エマルジョンに成る表面塗膜２１と；  （ロ）  メチルメタクリレート・ブタジエン樹脂エマルジョンを塗布して布目を塞ぐ目止め処理の施された織布２３に成る芯地層２４と；  （ハ）  可塑剤や架橋剤を含有する接着剤層２７と；  （ニ）  ラテックス２５を含浸させた二重経編布１４に成るクッション層３２が順次積層されており；  （ホ）  その二重経編布１４が、経糸の形成する鎖編列間を挿入糸で連結した上布１１と、経糸の形成する鎖編列が左右にジグザグに変動して開口を形成したネット状下布１２を連結糸１３で連結して構成され、上布と下布の間に連結糸１３に囲まれて下布の開口（１８）から上布に続く窪んだ隙間１８が形成されており、その窪んだ隙間１８を塞ぐことなくラテックス２５が含浸しており、下布の開口（１８）が底面３３を構成していることを第１の特徴とする。
【０００８】
本発明に係る競技場床敷物の第２の特徴は、上記第１の特徴に加えて、表面塗膜２１の下にアクリル・ウレタン樹脂エマルジョンに成る下塗層２２が塗布積層されており、表面塗膜２１のアクリル・ウレタン樹脂エマルジョンに鉱物質粒体２０が配合されていることにある。
【０００９】
本発明に係る競技場床敷物の第３の特徴は、上記第１および第２の何れかの特徴に加えて、芯地層の織布２３の目付を１５０〜３００ｇ／ｍ2 とし、その織布を単糸繊度２〜１０デニールのポリエステル繊維によって構成し、二重経編布１４の厚さを２〜７ｍｍとし、上布１１と下布１２を単糸繊度２〜１０デニールのポリエステル繊維のマルチフイラメント糸で構成し、連結糸１３を単糸繊度１００〜３００デニールのナイロンのモノフイラメント糸で構成したことにある。
【００１０】
本発明に係る競技場床敷物の第４の特徴は、上記第１、第２および第３の何れかの特徴に加えて、鉱物質粒体２０を除く表面塗膜２１のアクリル・ウレタン樹脂エマルジョンの塗布量（乾燥重量）と、下塗層２２のアクリル・ウレタン樹脂エマルジョンの塗布量（乾燥重量）と、芯地層２４のメチルメタクリレート・ブタジエン樹脂エマルジョンの塗布量（乾燥重量）と、接着剤層２７の塗布量（乾燥重量）を、それぞれ５００ｇ／ｍ2 以下にしたことにある。
【００１１】
本発明に係る競技場床敷物の第５の特徴は、上記第１、第２、第３および第４の何れかの特徴に加えて、二重経編布１４に含浸させたラテックス２５のゴム成分を、メタクリレート・ブタジエン樹脂、アクリロニトリロ・ブタジエン樹脂、スチレン・ブタジエン樹脂の何れか１種以上にしたことにある。
【００１２】
【発明の実施の形態】
下塗層２２を表面塗膜２１と同質のアクリル・ウレタン樹脂とする理由は、表面塗膜２１を直接芯地層２４に積層する場合には、表面塗膜２１のアクリル・ウレタン樹脂エマルジョン中の鉱物質粒体２０が沈み込んで芯地層２４に触れ、それが使用中に織布２３に擦れ合って芯地層２４が破れ易くなるためであり、又、アクリル・ウレタン樹脂塗膜２１が織布２３に比して遙かに弾力性に優れているので押圧した鉱物質粒体２０が織布２３に押し返されるよりも下塗層２２のアクリル・ウレタン樹脂塗膜に押し返される方が程よい弾力感を与えるためである。しかし、樹脂塗膜２１が余り厚くなると、押圧した鉱物質粒体２０を介して芯地層２４から伝わる反発感が少なくなる。このため、表面塗膜２１と下塗層２２と芯地層２４および接着剤層２７の各樹脂固形分の乾燥塗布重量を５００ｇ／ｍ2 以下とし、それら各層の厚みをそれぞれの樹脂比重（概して１．１〜１．３）に応じた０．５ｍｍ以下にする。
【００１３】
芯地層２４を積層する理由は、下地層２２を直接樹脂経編布１４に積層する場合、その下地層の樹脂エマルジョンの塗布面となる上布１１の鎖編列１５・１５の間隔が、開口１８の形成されている下布１２の鎖編列１７・１７の間隔と同様に粗く、その上布１１の鎖編列１５・１５の間が挿入糸１６によって繋がれていても、その連結する挿入糸間１６・１６に粗い隙間が出来、その隙間から樹脂エマルジョンが二重経編布１４の内部に垂れ込んで下地層２２を積層することが困難になるためである。そのように二重経編布１４の内部に垂れ込まないようにするためにも、接着剤（２７）は目止処理の施された織布２３の上に塗布し、その接着剤（２７）の塗布面に二重経編布１４を重ね合わせて積層する。
【００１４】
織布２３に施す目止処理は、その塗布する接着剤（２７）の芯地層２４への浸透を抑えて塗布量を少なくし、又、目止処理によって下塗層２２の芯地層２４へのアンカリングが損なわれないようにするため、接着剤（２７）の塗布面である織布２３の二重経編布１４に向き合う面に樹脂エマルジョンを塗布して行う。下塗層２２の芯地層２４へのアンカリング効果を高めるには、短繊維によって構成されて毛羽立った紡績糸、特に、その短繊維の毛羽が合撚によって抑えられない紡績単糸によって織布２３を織成する。そのように紡績単糸によって織成された織布２３を用い、織布２３の二重経編布１４に向き合う面に目止処理を施すと、芯地層２４への浸透が抑えられて接着剤（２７）が下塗層２２に直接触れ合わず、接着剤（２７）の成分、特に、可塑剤や架橋剤が移行して下塗層２２や表面塗膜２１の物性が損なわれ汚染し易くなると言うような不都合が回避される。
【００１５】
このように、芯地層２４は、接着剤（２７）の可塑剤や架橋剤の下塗層２２や表面塗膜２１への移行を防止する遮蔽層としても積層される。
【００１６】
ラテックス２５を二重経編布１４に含浸させるのは、それによって連結糸１３による二重経編布１４のクッション性を補完すると共に、連結糸１３を上布１１と下布１２に強固に接合するためである。しかしラテックス２５の含浸量が余り多くなると、上布１１と下布１２に対して直立状態にある連結糸１３による二重経編布固有のクッション性が損なわれるので、この含浸量（固形分）は、上布１１と下布１２の間に介在する連結糸１３の太さがラテックス２５の塗膜によって２倍以上に太くならない程度にする。
【００１７】
二重経編布のクッション性は、上布と下布に介在する連結糸１３の使用量によって左右されるが、それを競技場床敷物に用いる場合には、上布と下布の間の隙間の厚み、つまり、クッション層３２の厚みの１ｍｍに対する連結糸１３の使用量を１００〜３００ｇ／ｍ2 とし、その間の空隙率を、上布１１と下布１２の間の空隙から連結糸１３の比重（概して１．１〜１．３）に応じた容積を引いた７０〜９０容積％にする。
【００１８】
二重経編布１４の厚みは２〜７ｍｍにする。それは、その厚みが２ｍｍ未満になると連結糸１３による二重経編布のクッション性が少なくなり、それが７ｍｍを超えると二重経編布のクッション性が弱まると共に連結糸１３が上布１１と下布１２の間で押し倒され易くなるためである。
【００１９】
上布や下布を構成する糸条と連結糸には、相互に異質となる繊維を使用するとよい。それは、ラテックスの接着力が繊維の種類によって変わり、又、気候によってラテックスの接着力が経時変化しても何れか一方の繊維に強く固着するようにするためである。特に、ポリエステル繊維は、ナイロンと比して引張強度に優れているがラテックスに対する接着性が少なく、又、圧縮弾性回復力の点でも若干弱いので、それをポーラスでラテックスが固着する内部空隙の多いマルチフイラメント糸として上布と下布に用い、その優れた引張強度を活かして上布と下布を損耗し難くし、連結糸には弾性のあるナイロンを用いることが推奨される。
【００２０】
ラテックス２５には、メタクリレート・ブタジエン樹脂エマルジョン、アクリロニトリロ・ブタジエン樹脂エマルジョン、スチレン・ブタジエン樹脂エマルジョンの何れかを使用するとよい。接着剤（２７）には、二重経編布にメタクリレート・ブタジエン樹脂エマルジョンとアクリロニトリロ・ブタジエン樹脂エマルジョンを用いたときは、可塑剤を配合して調製した塩化ビニル樹脂のペースト・ゾルを使用し、二重経編布にスチレン・ブタジエン樹脂エマルジョンを用いたときは、架橋剤を配合して調製した同質のスチレン・ブタジエン樹脂エマルジョンを使用するとよい。表面塗膜２１のアクリル・ウレタン樹脂エマルジョンに成る下塗層２２や表面塗膜２１が接着剤（２７）の可塑剤や架橋剤によって汚染したり変質するのを回避するには、織布２３の目止処理にメチルメタクリレート・ブタジエン樹脂エマルジョンの使用が推奨される。
【００２１】
【発明の効果】
本発明（請求項１）に係る競技場床敷物２６は、織布２３と二重経編布の上布１１と下布１２との合計３枚の布帛による三層構造を成すものであるが、その底面３３が平編状上布１１や織布２３に比して遙かに伸縮性に富むネット状下布１２であり、その平編状上布１１と織布２３が密着しており、ロール状に巻き上げるとき上布１１と下布１２の間の厚みに応じて生じるロールの外径と内径の差が伸縮性に富むネット状下布１２に吸収されので、折皺を生じることなく綺麗に巻き上げることが出来、不使用時の巻き上げ保管が容易である。
【００２２】
その競技場床面３１に接する底面３３は、二重経編布１４の厚みに応じた２〜７ｍｍの窪んだ隙間１８になっており、そこに雄型面フアスナー２８の鉤状突起２９を押し込むことが出来、突き合わせて敷込んだ競技場床敷物２６・２６を雄型面フアスナー２８を介して継ぎ合わせることが出来、それを接着剤を使って継ぎ合わせるときは表面塗膜２１や芯地層２４だけを接着するだけで済み、接着剤を二重経編布１４の隙間１８・１９にまで注入する必要がなく、従って、隙間１８・１９に注入した接着剤によって継ぎ目３０だけが固くなるようなことはなく、従って、固い継ぎ目３０でボールがイレギュラーバウンドするようなことは起こらず、又、そのように雄型面フアスナー２８を介して仮接合するときは随時取り外して二枚の競技場床敷物２６・２６に分離することが出来、保管し易い。
【００２３】
そして、二重経編布１４がラテックス２５に補強されて耐久性のあるクッション材となり、下塗層２２と表面塗膜２１が強靱で接着性等の物性が温度によって大きく変化しないアクリル成分と弾性に富むウレタン成分とから成り、そのアクリル成分が弾性に富むが故に伸縮変形し易いウレタン成分の物性を補完し、芯地層２４のメチルメタクリレート・ブタジエン樹脂によって接着剤（２７）の可塑剤や架橋剤の下塗層２２や表面塗膜２１への移行が抑えられ、その結果、その移行による下塗層２２や表面塗膜２１の汚染や変質が回避され、土質グランドに似た滑り特性と弾力性に優れ、耐久性のある競技場床敷物が得られる。
【００２４】
本発明（請求項２）によると、表面には鉱物質粒体２０による細かい凹凸が出来て濡れてもスリップし難い一方、その表面が乾いた状態では、鉱物質粒体２０による細かい凹凸があるので競技する者の靴底が表面の樹脂皮膜２１に密着してスリップが急に止まるようなことがなく、従って、スリップが急に止まって躓き転倒する危険もなく、土質グランドに似たボールや靴底に対する適度の滑り特性を有し、テニスのようにボールを使用して激しく移動する競技に適した競技場床敷物２６が得られる。その表面を押圧するときは、鉱物質粒体２０が弾性に富むアクリル・ウレタン樹脂の下塗層２２を介して芯地層２４から押し返されるので、土質グランドに似た弾力性が生じる。
【００２５】
本発明（請求項３）によると、芯地層２４の織布２３の目付が１５０〜３００ｇ／ｍ2 であって単糸繊度２〜１０デニールのポリエステル繊維によって構成されており、二重経編布１４の厚さが２〜７ｍｍであり、上布１１と下布１２が単糸繊度２〜１０デニールのポリエステル繊維のマルチフイラメント糸で構成され、連結糸１３が単糸繊度１００〜３００デニールのナイロンのモノフイラメント糸で構成されているので、芯地層２４が厚い二重経編布１４の物性を損なうことなく、それを補強するラテックス１５の皮膜が二重経編布に強固に接着して剥離せず、耐久性のある競技場床敷物が得られる。
【００２６】
本発明（請求項４）によると、鉱物質粒体２０を除く表面塗膜２１のアクリル・ウレタン樹脂エマルジョンの塗布量（乾燥重量）と、下塗層２２のアクリル・ウレタン樹脂エマルジョンの塗布量（乾燥重量）と、芯地層２４のメチルメタクリレート・ブタジエン樹脂エマルジョンの塗布量（乾燥重量）と、接着剤層２７の塗布量（乾燥重量）が、それぞれ５００ｇ／ｍ2 以下であり、それらの各層の厚みが０．５ｍｍ以下になるので、それら各層の樹脂皮膜が、鉱物質粒体２０による滑り特性や二重経編布１４によるクッション性を損なうことがない。
【００２７】
本発明（請求項５）によると、二重経編布１４がメタクリレート・ブタジエン樹脂、アクリロニトリロ・ブタジエン樹脂、スチレン・ブタジエン樹脂で補強されているので、耐久性とクッション性に富む競技場床敷物が得られる。
【図面の簡単な説明】
【図１】本発明に係る競技場床敷物の断面側面図である。
【図２】本発明に係る競技場床敷物の底面拡大斜視図である。
【図３】本発明に係る競技場床敷物に使用される二重経編布の拡大斜視図である。
【符号の説明】
Ｎ    ウェール方向
１１  上布
１２  下布
１３  連結糸
１４  二重経編布
１５  鎖編列
１６  挿入糸
１７  鎖編列
１８  窪んだ隙間（開口）
１９  三角形状隙間
２０  鉱物質粒体
２１  表面塗膜
２２  下塗層
２３  織布
２４  芯地層
２５  ラテックス
２６  競技場床敷物
２７  接着剤層
２８  雄型面フアスナー
２９  鉤状突起
３０  継ぎ目
３１  競技場床面
３２  クッション層
３３  底面
【図１】
0004304555.tif 000002
【図２】
0004304555.tif 000003
【図３】
0004304555.tif 000004